(57)【特許請求の範囲】
【請求項１】
第１の直流電圧（Ｖ1）を出力する第１の出力端子（１１，１１ａ）と、
第２の直流電圧（Ｖ2；Ｖ3）を出力する第２の出力端子（１２，１２ａ；１３，１３ａ）と、
前記第１の出力端子に負荷（６１，６２，６３）が接続されていない場合にのみ、前記第１の出力端子からダミーの電流を引き抜くダミーの負荷（７）と
を備える電源装置。
【請求項２】
前記ダミーの負荷（７）は、
前記第１の出力端子に負荷（６１，６２，６３）が接続されていない場合にのみ導通するスイッチング素子（７１）と、
前記スイッチング素子（７１）に直列に接続された負荷抵抗（７２）と
を有する、請求項１記載の電源装置。
【請求項３】
前記負荷の接続の有無を判断する判断信号（Ｄ）を受け、これに基づいて前記スイッチング素子（７１）の導通を制御する制御部（８）
を更に備える、請求項２記載の電源装置。
【請求項４】
第１の直流電圧（Ｖ1）を出力する第１の出力端子（１１，１１ａ）と、
第２の直流電圧（Ｖ2；Ｖ3）を出力する第２の出力端子（１２，１２ａ；１３，１３ａ）と、
を備える直流電源（１０）に対し、
前記第１の出力端子に負荷（６１，６２，６３）が接続されていない場合にのみ、前記第１の出力端子からダミーの電流を引き抜く、電源の供給方法。
【請求項５】
前記第１の出力端子にダミーの負荷（７）が設けられ、
前記ダミーの負荷（７）は、前記スイッチング素子（７１）及び前記スイッチング素子（７１）に直列に接続された負荷抵抗（７２）を有し、
前記スイッチング素子を、前記第１の出力端子に負荷（６１，６２，６３）が接続されていない場合にのみ導通させる、請求項４記載の電源の供給方法。
【請求項６】
前記負荷の接続の有無を判断する判断信号（Ｄ）に基づいて前記スイッチング素子（７１）の導通を制御する、請求項５記載の電源の供給方法。
【発明の詳細な説明】
【０００１】
【発明の属する技術分野】
この発明は直流電源を供給する技術であって、特にその出力される直流電圧の変動を抑制する技術に関する。
【０００２】
【従来の技術】
図２は従来の技術を示す回路図であって、直流電圧の供給部及び直流電圧を受ける負荷を示している。具体的には、直流電圧の供給部は交流電源９と直流電源１０とを備えている。直流電源１０は、複数の直流電圧Ｖ1，Ｖ2，Ｖ3をそれぞれ供給する出力端子１１，１２，１３を備えている。
【０００３】
出力端子１１，１２，１３はそれぞれ、負荷が接続されるべき電源端子１１ａ，１２ａ，１３ａとして機能する。回路図の慣習的な記載態様として、出力端子１１，１２，１３と電源端子１１ａ，１２ａ，１３ａは離れて記載されているが、実際には出力端子１１，１２，１３には電源端子１１ａ，１２ａ，１３ａがそれぞれ結線される。
【０００４】
負荷６，５１，５２はそれぞれその一端が電源端子１１ａ，１２ａ，１３ａに接続され、接地との間でそれぞれ直流電圧Ｖ1，Ｖ2，Ｖ3が印加される。
【０００５】
【発明が解決しようとする課題】
しかしながら、直流電圧を受ける負荷の大きさが異なる場合がある。例えば、空気調和機を例にとって言えば、室内機の数に応じてリモコンが複数設けられたり、更には当該空気調和機を遠隔監視や遠隔操作を行うためのアダプタが設けられる場合もある。図２に則して言えば、負荷６として、リモコン６１，６２及びアダプタ６３がそれぞれ電源端子１１ａに接続可能である。但し接続されるとは限らない。図においてリモコン６１，６２及びアダプタ６３を破線で示しているのは、接続されるか否かが選択されることを示している。
【０００６】
一方、直流電源の電流容量には上限がある。従って、その供給する直流電圧Ｖ1，Ｖ2，Ｖ3は、たとえ交流電源９の電圧に変動が生じなくても、負荷６の大小によって変動し得る。即ち、負荷６として、リモコン６１，６２及びアダプタ６３が接続された場合には、これらが接続される電源端子１１ａにおいて得られる直流電圧Ｖ1のみならず、他の電源端子１２ａ，１３ａから得られる直流電圧Ｖ2，Ｖ3も低くなる。反対に負荷６に接続されるリモコンなどの数が少ないほど、直流電圧Ｖ1，Ｖ2，Ｖ3は高くなる。
【０００７】
負荷５１，５２は電源端子１２ａ，１３ａに接続されているので、これらに供給される直流電圧Ｖ2，Ｖ3は、負荷６の大小に依存することになる。その故に負荷５１，５２に所期の性能を発揮させるために、負荷６の大小に応じた煩瑣な調整が行われる。
【０００８】
本発明は上記の事情に鑑みてなされたもので、ある電源端子から得られる電圧の、他の電源端子に接続される負荷の大小に対する依存性を小さくする技術を提供するものである。
【０００９】
【課題を解決するための手段】
この発明のうち請求項１にかかるものは電源装置であって、第１の直流電圧（Ｖ1）を出力する第１の出力端子（１１，１１ａ）と、第２の直流電圧（Ｖ2；Ｖ3）を出力する第２の出力端子（１２，１２ａ；１３，１３ａ）と、前記第１の出力端子に負荷（６１，６２，６３）が接続されていない場合にのみ、前記第１の出力端子からダミーの電流を引き抜くダミーの負荷（７）とを備える。
【００１０】
この発明のうち請求項２にかかるものは、請求項１記載の電源装置であって、前記ダミーの負荷（７）は、前記第１の出力端子に負荷（６１，６２，６３）が接続されていない場合にのみ導通するスイッチング素子（７１）と、前記スイッチング素子（７１）に直列に接続された負荷抵抗（７２）とを有する。
【００１１】
この発明のうち請求項３にかかるものは、請求項２記載の電源装置であって、前記負荷の接続の有無を判断する判断信号（Ｄ）を受け、これに基づいて前記スイッチング素子（７１）の導通を制御する制御部（８）を更に備える。
【００１２】
この発明のうち請求項４にかかるものは、第１の直流電圧（Ｖ1）を出力する第１の出力端子（１１，１１ａ）と、第２の直流電圧（Ｖ2；Ｖ3）を出力する第２の出力端子（１２，１２ａ；１３，１３ａ）とを備える直流電源（１０）に対し、前記第１の出力端子に負荷（６１，６２，６３）が接続されていない場合にのみ、前記第１の出力端子からダミーの電流を引き抜く、電源の供給方法である。
【００１３】
この発明のうち請求項５にかかるものは、請求項４記載の電源の供給方法であって、前記第１の出力端子にダミーの負荷（７）が設けられ、前記ダミーの負荷（７）は、前記スイッチング素子（７１）及び前記スイッチング素子（７１）に直列に接続された負荷抵抗（７２）を有し、前記スイッチング素子を、前記第１の出力端子に負荷（６１，６２，６３）が接続されていない場合にのみ導通させる。
【００１４】
この発明のうち請求項６にかかるものは、請求項５記載の電源の供給方法であって、前記負荷の接続の有無を判断する判断信号（Ｄ）に基づいて前記スイッチング素子（７１）の導通を制御する。
【００１５】
【発明の実施の形態】
図１は本発明の一実施の形態の構成を示す回路図である。直流電源１０には交流電源９が入力し、出力端子１１，１２，１３にそれぞれ直流電圧Ｖ1，Ｖ2，Ｖ3を供給する。出力端子１１と接地との間にはダミー負荷７が接続されている。但し、出力端子１１と、他の固定電位との間にダミー負荷７が接続されていてもよい。
【００１６】
出力端子１１，１２，１３と電源端子１１ａ，１２ａ，１３ａは離れて記載されているが、実際には出力端子１１，１２，１３には電源端子１１ａ，１２ａ，１３ａがそれぞれ結線される。負荷５１，５２はそれぞれの一端が電源端子１２ａ，１３ａに接続され、それぞれの他端が接地される。
【００１７】
負荷６として、リモコン６１，６２及びアダプタ６３がそれぞれ電源端子１１ａに接続可能である。但し接続されるとは限らない。図においてリモコン６１，６２及びアダプタ６３を破線で示しているのは、接続されるか否かが選択されることを示している。
【００１８】
ダミー負荷７はスイッチング素子７１と負荷抵抗７２との直列接続を有している。例えばそしてスイッチング素子７１の開閉に応じ、出力端子１１からダミーの電流を引き抜く。スイッチング素子７１は例えばスイッチングトランジスタを採用することができる。
【００１９】
スイッチング素子７１は、負荷６としてリモコン６１，６２及びアダプタ６３のいずれもが接続されていない場合に導通し、いずれか一つが接続されていれば導通しない。かかるスイッチング素子７１の制御は制御部８によって行われる。即ち制御部８は判断信号Ｄに基づいて、スイッチング素子７１の開閉を制御する。判断信号Ｄは、リモコン６１，６２及びアダプタ６３のいずれもが接続されている第１の場合と、いずれか一つが接続されている第２の場合とを判断した結果を示す信号である。判断信号Ｄは公知の技術を用いて生成することができる。また、制御部８としては、負荷５１，５２，６の動作を制御するマイクロコンピュータを利用することができる。
【００２０】
第１の場合にはダミーの電流がダミー負荷７を介して出力端子１１から引き抜かれる。従って、図２に示された従来の技術と比較し、直流電圧Ｖ2，Ｖ3が高くなることがない。一方、第２の場合にはダミーの電流が流れないので従来の技術と同様にして直流電圧Ｖ2，Ｖ3が低下する。
【００２１】
以上のようにして本発明では、出力端子１１に結線された電源端子１１ａに負荷が接続されている場合と、接続されていない場合との間で、出力端子１１から流れる電流量の差を小さくすることができる。従って電源端子１２ａ，１３ａから得られる直流電圧Ｖ2，Ｖ3の、電源端子１１ａに接続される負荷６の大小に対する依存性を小さくすることができる。これにより、負荷５１，５２に所期の性能を発揮させるための調整が簡易、あるいは不要となる。
【００２２】
【発明の効果】
この発明のうち請求項１にかかる電源装置及び請求項４にかかる電源の供給方法によれば、第１の出力端子に負荷が接続されている場合と、接続されていない場合との間で、第１の出力端子から流れる電流量の差を小さくすることができる。従って第２の出力端子から得られる第２の直流電圧の、第１の出力端子に接続される負荷の大小に対する依存性を小さくすることができる。これにより、第２の出力端子に接続される負荷に所期の性能を発揮させるための調整が簡易、あるいは不要となる。
【００２３】
この発明のうち請求項２にかかる電源装置及び請求項５にかかる電源の供給方法によれば、第１の出力端子に負荷が接続されていない場合にのみ、第１の出力端子からダミーの電流を引き抜く。これにより第１の出力端子に負荷が接続されている場合と、接続されていない場合との間で、第１の出力端子から流れる電流量の差を小さくすることができる。
【００２４】
この発明のうち請求項３にかかる電源装置及び請求項６にかかる電源の供給方法によれば、第１の出力端子に負荷が接続されていないか否かに基づいて、第１の出力端子からダミーの電流を引き抜くか否かがそれぞれ採用される。
【図面の簡単な説明】
【図１】本発明の一実施の形態を示す回路図である。
【図２】従来の技術を示す回路図である。
【符号の説明】
７  ダミー負荷
９  交流電源
１０  直流電源
１１，１２，１３  出力端子
１１ａ，１２ａ，１３ａ  電源端子
５１，５２，６  負荷
６１，６２  リモコン
６３  アダプタ
７１  スイッチング素子
７２  負荷抵抗
Ｄ  判断信号
Ｖ1，Ｖ2，Ｖ3  直流電圧
【図１】
0003674562.tif 000002
【図２】
0003674562.tif 000003